【手続補正書】
【提出日】平成23年2月9日(2011.2.9)
【手続補正１】
【補正対象書類名】特許請求の範囲
【補正対象項目名】全文
【補正方法】変更
【補正の内容】
【特許請求の範囲】
【請求項１】
ハニカム構造、島状構造、または、表面と平行方向に貫通した空隙部位を有する構造のうちの少なくとも１つの構造を形成してなる芯材（Ｉ）と、該芯材（Ｉ）の両面に配置された、連続した強化繊維（Ａ）とマトリクス樹脂（Ｂ）で構成される繊維強化材(II)からなるサンドイッチ構造体(III)であって、該サンドイッチ構造体(III)の最大厚みが０．３〜２．０ｍｍであるサンドイッチ構造体。
【請求項２】
前記サンドイッチ構造体(III)の、ＪＩＳ−Ｋ ７１８１（２００６）に基づく圧縮試験において、本明細書に記載の方法で測定した２５％ひずみ時の比圧縮応力が５ＭＰａ以上である、請求項１に記載のサンドイッチ構造体。
【請求項３】
前記芯材（Ｉ）のＪＩＳ−Ｋ ７１８１（２００６）に基づく圧縮試験において、本明細書に記載の方法で測定した２５％ひずみ時の比圧縮応力が１５ＭＰａ以上である、請求項１または２のいずれかに記載のサンドイッチ構造体。
【請求項４】
前記芯材（Ｉ）の最大厚みが０．１〜１．８ｍｍである、請求項１〜３のいずれかに記載のサンドイッチ構造体。
【請求項５】
前記サンドイッチ構造体(III)の比重が０．１〜１．５である、請求項１〜４のいずれかに記載のサンドイッチ構造体。
【請求項６】
前記ハニカム構造を形成してなる芯材（Ｉ）の、セルの断面形状が真円状、楕円状、および六角形状から選択される少なくとも１種である、請求項１〜５のいずれかに記載のサンドイッチ構造体。
【請求項７】
前記ハニカム構造、島状構造、または、表面と平行方向に貫通した空隙部位を有する構造のうちの少なくとも１つの構造を形成してなる芯材（Ｉ）の、下記式（１）〜（３）のいずれかで計算される空隙率が２０〜９５％である、請求項１〜６のいずれかに記載のサンドイッチ構造体。
空隙率（％）＝（ハニカム構造のセル内の総断面積／芯材の見かけ断面積）×１００：式（１）
空隙率（％）＝（１−（島状構造の総断面積／芯材の見かけ断面積））×１００：式（２）
空隙率（％）＝（表面と平行方向に貫通した空隙部位の総断面積／表面と平行方向における芯材の見かけ断面積）×１００：式（３）
【請求項８】
前記ハニカム構造、島状構造、または、表面と平行方向に貫通した空隙部位を有する構造のうちの少なくとも１つの構造を形成してなる芯材（Ｉ）の、セルの断面形状における最大長さ、島状構造の間隔、または、空隙部位における最大長さのいずれかが１〜１０ｍｍである、請求項１〜７のいずれかに記載のサンドイッチ構造体。
【請求項９】
前記芯材（Ｉ）のセル壁厚、または、島状部分の幅の少なくとも一部が、０．０５〜１ｍｍである請求項１〜８のいずれかに記載のサンドイッチ構造体。
【請求項１０】
前記ハニカム構造、または、表面と平行方向に貫通した空隙部位を有する構造を形成してなる芯材（Ｉ）の、セルの断面積、または、空隙部分の断面積が２５ｍｍ２以下である、請求項１〜９のいずれかに記載のサンドイッチ構造体。
【請求項１１】
前記芯材（Ｉ）がポリプロピレン樹脂である、請求項１〜１０のいずれかに記載のサンドイッチ構造体。
【請求項１２】
前記強化繊維（Ａ）が炭素繊維である、請求項１〜１１のいずれかに記載のサンドイッチ構造体。
【請求項１３】
前記芯材（Ｉ）と前記繊維強化材(II)の層間に、接着層が配置されており、該接着層が、変性ポリオレフィン系樹脂、ポリエステル樹脂、およびポリアミド樹脂から選択される少なくとも１種から構成される、請求項１〜１２のいずれかに記載のサンドイッチ構造体。
【請求項１４】
請求項１〜１３のいずれかに記載のサンドイッチ構造体からなる第１の部材と、別の構造部材からなる第２の部材が接合されて一体化された成形体。
【請求項１５】
請求項１〜１３のいずれかに記載のサンドイッチ構造体からなる面板と、フレーム部分が一体化された成形体であって、電気・電子機器、オフィスオートメーション機器、家電機器、医療機器、自動車部品、航空機部品、または建材に用いられる成形体。
【手続補正２】
【補正対象書類名】明細書
【補正対象項目名】００２２
【補正方法】削除
【補正の内容】
【手続補正３】
【補正対象書類名】明細書
【補正対象項目名】００２３
【補正方法】削除
【補正の内容】
【手続補正４】
【補正対象書類名】明細書
【補正対象項目名】００２４
【補正方法】変更
【補正の内容】
【００２４】
（７）前記ハニカム構造、島状構造、または、表面と平行方向に貫通した空隙部位を有する構造のうちの少なくとも１つの構造を形成してなる芯材（Ｉ）の、下記式（１）〜（３）のいずれかで計算される空隙率が２０〜９５％である、（１）〜（６）のいずれかに記載のサンドイッチ構造体。
空隙率（％）＝（ハニカム構造のセル内の総断面積／芯材の見かけ断面積）×１００：式（１）
空隙率（％）＝（１−（島状構造の総断面積／芯材の見かけ断面積））×１００：式（２）
空隙率（％）＝（表面と平行方向に貫通した空隙部位の総断面積／表面と平行方向における芯材の見かけ断面積）×１００：式（３）。
【手続補正５】
【補正対象書類名】明細書
【補正対象項目名】００２５
【補正方法】変更
【補正の内容】
【００２５】
（８）前記ハニカム構造、島状構造、または、表面と平行方向に貫通した空隙部位を有する構造のうちの少なくとも１つの構造を形成してなる芯材（Ｉ）の、セルの断面形状における最大長さ、島状構造の間隔、または、空隙部位における最大長さがのいずれか１〜１０ｍｍである、（１）〜（７）のいずれかに記載のサンドイッチ構造体。
【手続補正６】
【補正対象書類名】明細書
【補正対象項目名】００２６
【補正方法】変更
【補正の内容】
【００２６】
（９）前記芯材（Ｉ）のセル壁厚、または、島状部分の幅の少なくとも一部が、０．０５〜１ｍｍである（１）〜（８）のいずれかに記載のサンドイッチ構造体。
【手続補正７】
【補正対象書類名】明細書
【補正対象項目名】００２７
【補正方法】変更
【補正の内容】
【００２７】
（１０）前記ハニカム構造、または、表面と平行方向に貫通した空隙部位を有する構造芯材（Ｉ）の、セルの断面積、または、空隙部分の断面積が２５ｍｍ２以下である、（１）〜（９）のいずれかに記載のサンドイッチ構造体。
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】変更
【補正の内容】
【００３０】
（１１）前記芯材（Ｉ）がポリプロピレン樹脂である、（１）〜（１０）のいずれかに記載のサンドイッチ構造体。
【手続補正１１】
【補正対象書類名】明細書
【補正対象項目名】００３１
【補正方法】変更
【補正の内容】
【００３１】
（１２）前記強化繊維（Ａ）が炭素繊維である、（１）〜（１１）のいずれかに記載のサンドイッチ構造体。
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】変更
【補正の内容】
【００３４】
（１３）前記芯材（Ｉ）と前記繊維強化材(II)の層間に、接着層が配置されており、該接着層が、変性ポリオレフィン系樹脂、ポリエステル樹脂、およびポリアミド樹脂から選択される少なくとも１種から構成される、（１）〜（１２）のいずれかに記載のサンドイッチ構造体。
【手続補正１５】
【補正対象書類名】明細書
【補正対象項目名】００３５
【補正方法】削除
【補正の内容】
【手続補正１６】
【補正対象書類名】明細書
【補正対象項目名】００３６
【補正方法】削除
【補正の内容】
【手続補正１７】
【補正対象書類名】明細書
【補正対象項目名】００３７
【補正方法】変更
【補正の内容】
【００３７】
（１４）（１）〜（１３）のいずれかに記載のサンドイッチ構造体からなる第１の部材と、別の構造部材からなる第２の部材が接合されて一体化された成形体。
【手続補正１８】
【補正対象書類名】明細書
【補正対象項目名】００３８
【補正方法】変更
【補正の内容】
【００３８】
（１５）（１）〜（１３）のいずれかに記載のサンドイッチ構造体からなる面板と、フレーム部分とが一体化された成形体であって、電気・電子機器、オフィスオートメーション機器、家電機器、医療機器、自動車部品、航空機部品、または建材に用いられる成形体。
【手続補正１９】
【補正対象書類名】明細書
【補正対象項目名】００３９
【補正方法】削除
【補正の内容】
【手続補正２０】
【補正対象書類名】明細書
【補正対象項目名】００４０
【補正方法】削除
【補正の内容】